(57)【要約】      （修正有）【課題】架空配電線工事を行う作業員の作業量を軽減することができるドラムリールの支持器及び当該支持器を用いたドラムリールの設置方法を提供する。【解決手段】ドラムリールを回転自在に支持する支持器１において、ドラムリールの中心孔に貫通させるシャフト６０と、互いに平行で左右一対の縦杆と、縦杆の上部近辺を連結する横杆３２と、当該縦杆の下部近辺を連結する横杆とから構成された基本脚３０と、互いに平行で左右一対の縦杆から構成され、各縦杆の長手方向における上部近辺が基本脚３０の中間部に回動自在に連結された補助脚４０と、基本脚３０の各縦杆の中間部近辺に夫々設置され、シャフト６０を係止する係止具５０とからなり、係止具５０が、開口部を有する略Ｊ字形状の枠材と、当該枠材の開口部を塞ぐ留め具と、ユーザからの操作に応じて、前記留め具に当該枠材の開口部を塞いだり開いたりさせるハンドルを有する。【選択図】図３
2014185030.tif 000002
【特許請求の範囲】
【請求項１】
ドラムリールを回転自在に支持する支持器において、
ドラムリールの中心孔に貫通させるシャフトと、
互いに平行で左右一対の縦杆と、当該縦杆の上部近辺を連結する横杆と、当該縦杆の下部近辺を連結する横杆とから構成された基本脚と、
互いに平行で左右一対の縦杆から構成され、各縦杆の長手方向における上部近辺が前記基本脚の中間部に回動自在に連結された補助脚と、
前記基本脚の各縦杆の中間部近辺に夫々設置され、前記シャフトを係止する係止具とからなり、
前記係止具が、
開口部を有する略Ｊ字形状の枠材と、
当該枠材の開口部を塞ぐ留め具と、
ユーザからの操作に応じて、前記留め具に当該枠材の開口部を塞いだり開いたりさせるハンドルとを有することを特徴とする、支持器。
【請求項２】
前記補助脚が、前記基本脚に対し所定の角度以上回動しないように規制され、
前記規制として、前記基本脚の左側の縦杆の長手方向の下部近辺と、前記補助脚の左側の縦杆の長手方向の下部近辺とを連結する連結具と、
前記基本脚の右側の縦杆の長手方向の下部近辺と、前記補助脚の右側の縦杆の長手方向の下部近辺とを連結する連結具とを有することを特徴とする、請求項１に記載の支持器。
【請求項３】
前記基本脚の各縦杆の上部近辺が、当該縦杆の長手方向に伸縮自在な構成となっていることを特徴とする、請求項１又は２に記載の支持器。
【請求項４】
作業員等のユーザが、
前記係止具を操作して、当該係止具から前記シャフトを取り外し、
前記ドラムリールの中心孔に当該シャフトを貫通させ、
前記基本脚を押して傾け、
前記シャフトに前記係止具の略Ｊ字形状枠材の上部を接触させ、
前記基本脚を傾けたまま、当該基本脚を斜め上方へ持ち上げて、
Ｊ字の凹部に前記シャフトを載置し、
前記係止具枠材の開口部を塞いで前記シャフトを係止させ、
前記基本脚の下端部を支点として、傾いた当該基本脚を押して起こすことを特徴とする、前記請求項１〜３のいずれかに記載の支持器を用いたドラムリールの設置方法。
【発明の詳細な説明】
【技術分野】
【０００１】
本発明は、架空配電線の無停電工法におけるバイパス工法に使用するバイパスケーブルの送り出し及び巻き取りに用いるドラムリールを支持する支持器及び当該支持器を用いたドラムリールの設置方法に関する。
【背景技術】
【０００２】
架空配電線工事において、需要家には送電し、工事箇所を停電して行う方法がバイパス工法である。バイパス工法は、バイパスケーブルを停電したい電柱の複数区間について張り、工事用開閉器、工事用変圧器などの機材を組み合わせてバイパス線路を構築するもので、機材の取り扱いの利便性が作業安全や作業効率に大きく影響する。
【０００３】
従来は、３個のバイパスケーブル用ドラムリールを地上に設置し、３人の作業者がそれぞれドラムを操作して、バイパスケーブルの送り出し、巻き取り作業を行っていた。
【０００４】
しかし、この従来のバイパスケーブル用ドラムリールは、３相別々のため、作業スペース、作業者の配置、ケーブル収納、車両への積載などに課題があった。
【０００５】
これらの課題を解決するため、例えば、特許文献１では、３個のドラムリールが互いに干渉せず、独立して回転でき、なおかつ、同期しても回転でき、一人の作業者で操作できる、コンパクトな三線一括ドラムリールの構成が開示されている。
【先行技術文献】
【特許文献】
【０００６】
【特許文献１】特許第４６１９９２８号公報
【発明の概要】
【発明が解決しようとする課題】
【０００７】
しかしながら、特許文献１に開示されている三線一括ドラムリールを支持する支持器は、少なくとも５つのパーツに分解することができる。具体的には、図１３に示すように、バイパスケーブルを収納する円形部材２の中心孔を貫通するシャフト１３と、当該シャフト１３の両端を回転自在に支持する各ドラム架台１２と、各ドラム架台１２を相互に連結するシャフト１５及び１６といった５つのパーツに分解することができる。
【０００８】
したがって、運搬する車両にドラムを搭載する際には、なるべく車上のスペースをとらず、コンパクトに運搬するため、ドラムリールの支持器をパーツに分解した状態で搭載する。そして、車両と架空配電線工事の現場間でドラムを運搬する際に、ドラムリールの支持器はパーツに分解されているため、作業員は、複数回に分けてドラムを運搬する必要がある。また、架空配電線工事の現場で分解されたパーツからねじ締め等を行ってドラムを組み立てる必要がある。また、公道上に設置したドラムは、通常、通行の邪魔にならないように、バイパスケーブルの送り出しが終了すると撤去しなければならず、その際にドラムリールの支持器をパーツに分解する必要がある。更に、バイパスケーブルを巻き取った後、運搬する車両にドラムを搭載する際には、ドラムリールの支持器はパーツに分解する必要がある。
【０００９】
即ち、架空配電線工事を行う際に、作業員は、ドラムリールの支持器の組み立て及び分解を複数回行う必要があった。
【００１０】
特に、このような従来のドラムリールの支持器の組み立てにおいては、ドラムリールを支持器に載置する場合、シャフトと支持器の一方の側を組み立て、その状態でシャフトをドラムリールのシャフト挿入口に通し、その後、支持器の他方の側を、シャフトの位置と同じようになるように手で持ち上げて調整しながら、組み立てる。その後、補助棒も位置を合わせて取り付ける。位置合わせ箇所に遊びが無く、手間がかかる作業であった。
【００１１】
そこで本発明は、上記問題点に対処するため、ドラムリールの支持器のシャフトの位置とドラムリールのシャフト挿入口とが、同じ位置になるように調整してから、シャフトを挿入する方式ではなく、ドラムリールに予めシャフトを挿入しておき、シャフトごとドラムリールを支持器に載置する方式とすることによって、組み立てや分解を行う必要がなく、簡単に設置を行うことができ、架空配電線工事を行う作業員の作業量を軽減することができるドラムリールの支持器及び当該支持器を用いたドラムリールの設置方法を提供する。
【課題を解決するための手段】
【００１２】
前記目的を達成するため、請求項１の発明では、ドラムリールを回転自在に支持する支持器において、
ドラムリールの中心孔に貫通させるシャフトと、
互いに平行で左右一対の縦杆と、当該縦杆の上部近辺を連結する横杆と、当該縦杆の下部近辺を連結する横杆とから構成された基本脚と、
互いに平行で左右一対の縦杆から構成され、各縦杆の長手方向における上部近辺が前記基本脚の中間部に回動自在に連結された補助脚と、
前記基本脚の各縦杆の中間部近辺に夫々設置され、前記シャフトを係止する係止具とからなり、
前記係止具が、
開口部を有する略Ｊ字形状の枠材と、
当該枠材の開口部を塞ぐ留め具と、
ユーザからの操作に応じて、前記留め具に当該枠材の開口部を塞いだり開いたりさせるハンドルとを有する支持器とした。
【００１３】
請求項２の発明では、前記補助脚が、前記基本脚に対し所定の角度以上回動しないように規制され、
前記規制として、前記基本脚の左側の縦杆の長手方向の下部近辺と、前記補助脚の左側の縦杆の長手方向の下部近辺とを連結する連結具と、
前記基本脚の右側の縦杆の長手方向の下部近辺と、前記補助脚の右側の縦杆の長手方向の下部近辺とを連結する連結具とを有する、請求項１に記載の支持器とした。
【００１４】
請求項３の発明では、前記基本脚の各縦杆の上部近辺が、当該縦杆の長手方向に伸縮自在な構成となっている、請求項１又は２に記載の支持器とした。
【００１５】
請求項４の発明では、作業員等のユーザが、
前記係止具を操作して、当該係止具から前記シャフトを取り外し、
前記ドラムリールの中心孔に当該シャフトを貫通させ、
前記基本脚を押して傾け、
前記シャフトに前記係止具の略Ｊ字形状枠材の上部を接触させ、
前記基本脚を傾けたまま、当該基本脚を斜め上方へ持ち上げて、
Ｊ字の凹部に前記シャフトを載置し、
前記係止具枠材の開口部を塞いで前記シャフトを係止させ、
前記基本脚の下端部を支点として、傾いた当該基本脚を押して起こす、前記請求項１〜３のいずれかに記載の支持器を用いたドラムリールの設置方法とした。
【発明の効果】
【００１６】
本発明によれば、運搬する車両にドラムを搭載する際に、ドラムリールの支持器をパーツに分解する必要がなく、支持器を畳むだけで、コンパクトに車両に搭載できる。また、ドラムリールの支持器がパーツに分解されていないため、車両と架空配電線工事の現場間でドラムを運搬する際の、作業員等のユーザの作業量が軽減される。また、架空配電線工事を行う際の、ドラムの設置及び撤去に伴う作業員等のユーザの作業量が軽減される。
【発明を実施するための形態】
【００１７】
本発明は、ドラムリールを回転自在に支持する支持器において、ドラムリールの中心孔に貫通させるシャフトと、互いに平行で左右一対の縦杆と、当該縦杆の上部近辺を連結する横杆と、当該縦杆の下部近辺を連結する横杆とから構成された基本脚と、互いに平行で左右一対の縦杆から構成され、各縦杆の長手方向における上部近辺が前記基本脚の中間部に回動自在に連結された支持脚と、前記基本脚の各縦杆の中間部近辺に夫々設置され、前記シャフトを係止する係止具とからなり、前記係止具が、開口部を有する略Ｊ字形状の枠材と、当該枠材の開口部を塞ぐ留め具と、ユーザからの操作に応じて、前記留め具に当該枠材の開口部を塞いだり開いたりさせるハンドルとを有する構成とすることにより、作業員等のユーザの、架空配電線工事に伴う作業量が軽減される。
【図面の簡単な説明】
【００１８】
【図１】本発明の実施例に係る支持器の全体的な構成を例示的に示す側面図である。
【図２】本発明の実施例に係る実施例の支持器の全体的な構成を例示的に示す正面図である。
【図３】本発明の実施例に係る支持器の全体的な構成を例示的に示す斜視図である。
【図４】本発明の他の実施例に係る支持器の基本脚の構成を例示的に示す斜視図である。
【図５】本発明の実施例に係る支持器の補助脚が、基本脚に対し所定の角度で固定できるように構成されていることを例示的に示す説明図である。
【図６】本発明の実施例に係る支持器の補助脚が、基本脚に対し所定の角度で固定できるように構成されていることを例示的に示す説明図である。
【図７】本発明の実施例に係る支持器のドラムリール及びシャフトの構成を例示的に示す正面図である。
【図８】本発明の実施例に係る支持器を用いて、作業員等のユーザが行うドラム設置の流れを示す流れ図である。
【図９】本発明の実施例に係る支持器を用いて、作業員等のユーザが行うドラム設置の流れを示す説明図である。
【図１０】本発明の実施例に係る支持器を用いて、作業員等のユーザが行うドラム設置の流れを示す説明図である。
【図１１】本発明の実施例に係る支持器を用いて、作業員等のユーザが行うドラム設置の流れを示す説明図である。
【図１２】本発明の実施例に係る支持器のドラムリールを車輪として、ドラムを転がしている状態を示す説明図である。
【図１３】従来の支持器の構成を示す側面図である。
【実施例１】
【００１９】
以下、添付図面を参照して本発明に係る実施例を詳細に説明する。ただし、この実施例に記載されている構成要素はあくまでも例示であり、本発明の範囲をそれらのみに限定する趣旨のものではない。
【００２０】
＜支持器１の構成＞
図１〜３は、本実施例に係る支持器１の全体的な構成を例示的に示した図である。詳しくは、図１は側面図であり、図２は正面図であり、図３はドラムリール７０を搭載した状態の支持器１を示す斜視図である。支持器１は、ドラムリール２０（図７参照）あるいはドラムリール７０を回転自在に支持するものである。支持器１は、主として、基本脚３０と、補助脚４０と、係止具５０と、シャフト６０とから構成されている。なお、支持器１は上述したように、ドラムリール２０等を回転自在に支持するものであるため、ドラムリール２０等を回転自在に支持可能なように、ドラムリール２０又はドラムリール７０の直径に合わせた、基本脚３０及び補助脚４０の高さや、基本脚３０に設置する係止具５０の位置とする必要がある。
【００２１】
ドラムリール２０及び７０は、作業員等のユーザが、回転させることで、バイパスケーブル等のケーブルを巻き付けたり、送り出したりする。ドラムリール２０は、例えば、三線一括ドラムリールである。また、ドラムリール２０及び７０は、その中心を貫通する中心孔２１が設けられており、この中心孔２１を中心として回転する。
【００２２】
基本脚３０及び補助脚４０は、例えば、金属製である。ドラムリール２０を回転自在に支持することができる剛性を備えると共に、作業員等のユーザが運搬可能な重量である必要がある。
【００２３】
＜基本脚３０の構成＞
そして、基本脚３０は、互いに平行で左右一対の縦杆３１と、縦杆３１の上端を連結する横杆３２と、縦杆３１の下端を連結する横杆３３とから枠状に構成されている。また、横杆３２は、作業員等のユーザが、支持器１を操作する際の握りの役目を果たすものであるため、握りやすいように、断面が略円形、あるいは略楕円形に加工されていることが望ましい。また、縦杆３１の上部が、上下方向に伸縮自在な構成であっても良い。縦杆３１の上部が、上下方向に伸縮自在な構成である場合には、横杆３２の高さも変更自在となる。従って、作業員等のユーザの背の高さに合わせて、横杆３２の高さを調整することができる。また、基本脚３０の下端を支点として基本脚３０を傾ける場合に、基本脚３０の上部を伸ばすことによって、てこの原理よって小さい力で傾けることができる。また、支持器１を収納する際に、基本脚３０の上部を縮めてコンパクトにすることができる。また、図４に示すように、縦杆３１の上部が、ドラムリール２０側に折れ曲がっている構成としても良い。このように、縦杆３１の上部が折れ曲がっている構成とすることによって、作業員等のユーザが、基本脚３０の横杆３２を基本脚３０側から持って、基本脚３０の下端部を支点として、傾いた支持器１を補助脚４０側に押して起こす際に、より簡単に起こすことが可能となる。また、作業員等のユーザがバイパスケーブルをケーブルドラム２０等に巻き取らせる際に、横杆３２にぶつかることがなく、作業しやすくなる。
【００２４】
なお、本実施例では、横杆３２が縦杆３１の上端を連結する構成を示したが、この構成に限定されるものではない。横杆３２が縦杆３１の上部近辺を連結する構成であれば良い。また、本実施例では、横杆３３が縦杆３１の下端を連結する構成を示したが、この構成に限定されるものではない。横杆３３が縦杆３１の下部近辺を連結する構成であれば良い。更に、本実施例では、基本脚３０が枠状の構成を示したが、この構成に限定されるものではなく、基本脚３０は、互いに平行で左右一対の縦杆３１と、縦杆３１の上端を連結する横杆３２とからなる略逆U字状の構成であっても良い。
【００２５】
＜補助脚４０の構成＞
補助脚４０は、互いに平行で左右一対の縦杆４１と、縦杆４１の下端を連結する横杆４２とから構成され、各縦杆４１の長手方向における上部近辺が基本脚３０の中間部に回動自在に連結されている。従って、作業員等のユーザが基本脚３０を傾けると、自重によって補助脚４０は回動する。
【００２６】
一方、補助脚４０は、基本脚３０に対し所定の角度（例えば、７０度）で固定できるように構成されている。例えば、図５及び図６に示すように、基本脚３０の補助脚４０に接する一側面に円板３４を設け、円板３４にはボールプランジャ４４の先端のボール４５を収容する窪み３５（図９参照）が設けられている。補助脚４０の基本脚３０に接する一側面にボールプランジャ４４を設け、ボール４５はボールプランジャ４４に内蔵されたばね（図示省略）等でボールプランジャ４４の先端方向に向かって付勢されている。従って、補助脚４０を回動させると、ボールプランジャ４４のボール４５が窪み３５に嵌り、補助脚４０は基本脚３０に対し所定の角度で固定される。このように、補助脚４０を基本脚３０に対し所定の角度で固定可能な構成とすることによって、基本脚３０を傾けた際に、それに伴い補助脚４０が回動してしまうという誤作動を防止できる。また、基本脚３０が傾いた状態であっても、作業員等のユーザが補助脚４０を基本脚３０に対し所定の角度で固定することができるため、便宜である。
【００２７】
また、補助脚４０は、基本脚３０に対し所定の角度以上回動しないように規制される構成となっている。例えば、補助脚４０が所定の角度以上回動しないようにする規制として、基本脚３０の左側の縦杆３１の長手方向の下部近辺と、補助脚４０の左側の縦杆４１の長手方向の下部近辺とが、チェーン等の連結具４３を用いて連結されている。同様に、基本脚３０の右側の縦杆３１の長手方向の下部近辺と、補助脚４０の右側の縦杆４１の長手方向の下部近辺とが、連結具４３を用いて連結されている。従って、補助脚４０は、連結具４３によって規制され、所定の角度以上回動しない。なお、本実施例では、連結具４３としてチェーンを用いる構成を示したが、この構成に限定されるものではなく、例えば、連結具４３として、折り畳みヒンジを用いる構成としても良い。連結具４３として折り畳みヒンジを用いる構成とすれば、作業員等のユーザが折り畳みヒンジを伸ばすことによって、補助脚４０を回動させることができ、支持器１の操作がし易くなり、便宜である。
【００２８】
なお、本実施例では、横杆４２が縦杆４１の下端を連結する構成を示したが、この構成に限定されるものではない。横杆４２が縦杆４１の下部近辺を連結する構成であれば良い。更に、本実施例では、補助脚４０が横杆４２を有する構成を示したが、この構成に限定されるものではなく、横杆４２を有しない構成としても良い。
【００２９】
＜係止具５０の構成＞
係止具５０は、基本脚３０の各縦杆３１の中間部近辺に夫々設置されている。係止具５０は、例えば、略Ｊ字形状の枠材５１のＪ字形状の長い方と短い方の形状との間の開口部５２を塞ぐ留め具５３と、作業員等のユーザからの操作に応じて、留め具５３に枠材５１の開口部５２を塞いだり開いたりさせるハンドル５４とから構成されている。従って、作業員等のユーザが、シャフト６０を係止具５０に係止する場合、開口部５２からシャフト６０を枠材５１に嵌め込み、ハンドル５４を操作して、留め具５３に開口部５２を塞がせる。一方、作業員等のユーザが、係止具５０からシャフト６０を取り外す場合、ハンドル５４を操作して、留め具５３に開口部５２を開かせ、開口部５２からシャフト６０を取り出す。なお、本実施例においては、略Ｊ字形状の枠材５１と、留め具５３と、ハンドル５４とからなる係止具５０の構成を示したが、この構成に限定されるものではなく、枠材５１が略Ｕ字形状である等、シャフト６０を係止可能な構成であれば良い。
【００３０】
＜シャフト６０の構成＞
シャフト６０は、ドラムリール２０の中心孔２１に貫通させる軸である。そして、図７に示すように、シャフト６０の一端の外周には、2枚の略皿状のフランジ６１が間隔を空けて設けられている。フランジ６１の間隔は、基本脚３０の縦杆３１の幅よりやや大きい。このように、シャフト６０の一端の外周に、2枚のフランジ６１が間隔を空けて設けられていることによって、シャフト６０が横方向にずれた場合でも、フランジ６１が縦杆３１に引っ掛かり、シャフト６０が係止具５０から外れてしまうことを防止することができる。なお、シャフト６０が係止具５０から外れないように防止する構成は、２枚のフランジ６１を用いるこの構成に限定されるものではなく、例えば、１枚のフランジ６１を用いて、当該フランジ６１を縦杆３１に引っ掛ける等、シャフト６０が横にずれた場合、シャフト６０の一端が、縦杆３１あるいは係止具５０に引っ掛かる構成、又は、シャフト６０が横にずれる場合に備えて、シャフト６０の一端を縦杆３１あるいは係止具５０にあらかじめ固定しておく構成としても良い。
【００３１】
＜支持器１を用いたドラム設置の流れ＞
次に、本実施例に係る支持器を用いたドラム設置の流れについて図８〜１１を用いて説明する。
【００３２】
ドラム設置の流れを示す流れ図である図８に示すように、作業員等のユーザは、ドラムリール２０が載置されていない支持器１の係止具５０のハンドル５４を操作して、枠材５１の開口部５２を開かせ、係止具５０からシャフト６０を取り外す（ステップＳ８０１）。そして、ドラムリール２０の中心孔２１にシャフト６０を貫通させる（ステップＳ８０２）。作業員等のユーザは、基本脚３０の横杆３２を持って、基本脚３０の下端を支点にして、基本脚３０を基本脚３０側に傾け（例えば、地面に対し４５度）、係止具５０のＪ字形状枠体５１の上部のＪ字の長い方の枠体部分を、シャフト６０に接触させる（ステップＳ８０３）。その後、基本脚３０の傾斜角度を維持したまま、基本脚３０を斜め上方へ持ち上げて、図９に示すように、Ｊ字の凹部にシャフト６０を載置する（ステップＳ８０４）基本脚３０を傾けた状態で、ドラムリール２０に貫通させたシャフト６０を係止具５０に係止する（ステップＳ８０５）。詳しくは、作業員等のユーザは、係止具５０のハンドル５４を操作して、枠材５１の開口部５２を留め具５３で塞ぐ。そして、図１０に示すように、補助脚４０を回動させ、ボールプランジャ４４のボール４５を円板３４の窪み３５に嵌め込んで、補助脚４０を基本脚３０に対し所定の角度で固定する（ステップＳ８０６）。それから、図１１に示すように、作業員等のユーザは、基本脚３０の横杆３２を基本脚３０側から持って、基本脚３０の下端部を支点として、傾いた支持器１を補助脚４０側に押して起こす（ステップＳ８０７）。これで、ドラム設置は完了する。
【００３３】
なお、支持器１の転倒を防止するため、自立している支持器１の基本脚３０の横杆３３又は補助脚４０の横杆４２の上に土嚢や水嚢を置く、あるいは、自立している支持器１と車両とをロープで接続しても良い。また、図１２に示すように、係止具５０にドラムリール２０に貫通させたシャフト６０を係止させた状態の支持器１を、作業員等のユーザが基本脚３０側に傾けて、ドラムリール２０を接地させ、ドラムリール２０を車輪にして転がして、ドラムを移動させても良い。
【００３４】
一方、設置したドラムを撤去する場合には、作業員等のユーザは、支持脚４０側から基本脚３０の横杆３２を持って、基本脚３０の下端を支点にして、基本脚３０を基本脚３０側に押して傾け、基本脚３０を傾けた状態で、係止具５０のハンドル５４を操作して、枠材５１の開口部５２を開かせ、係止具５０からドラムリール２０に貫通させたシャフト６０を取り外す。それから、作業員等のユーザは、基本脚３０の下端部を支点として、傾いた支持器１を補助脚４０側に起こす。さらに、ドラムリール２０の中心孔２１からシャフト６０を抜いて、当該シャフト６０を係止具５０に係止する。
【００３５】
このように支持器１を構成することによって、運搬する車両にドラムを搭載する際に、ドラムリール２０の支持器１をパーツに分解する必要がなく、支持器１を畳むだけで、コンパクトに車両に搭載できる。また、ドラムリール２０の支持器１がパーツに分解されていないため、車両と架空配電線工事の現場間でドラムを運搬する際の、作業員等のユーザの作業量が軽減される。また、支持器１のパーツの組み立てや分解をする必要がないため、架空配電線工事を行う際の、ドラムの設置及び撤去に伴う作業員等のユーザの作業量が軽減される。
【符号の説明】
【００３６】
１：支持器、２０：ドラムリール、２１：中心孔、３０：基本脚、３１：縦杆、３２：横杆、３３：横杆、３４：円板、３５：窪み、４０：補助脚、４１：縦杆、４２：横杆、４３：連結具、４４：ボールプランジャ、４５：ボール、５０：係止具、５１：枠材、５２：開口部、５３：留め具、５４：ハンドル、６０：シャフト、６１：フランジ
【図１】
2014185030.tif 000003
【図２】
2014185030.tif 000004
【図３】
2014185030.tif 000005
【図４】
2014185030.tif 000006
【図５】
2014185030.tif 000007
【図６】
2014185030.tif 000008
【図７】
2014185030.tif 000009
【図８】
2014185030.tif 000010
【図９】
2014185030.tif 000011
【図１０】
2014185030.tif 000012
【図１１】
2014185030.tif 000013
【図１２】
2014185030.tif 000014
【図１３】
2014185030.tif 000015